(57)【要約】【課題】ガスを加熱源とする加熱調理器を複数個備えた加熱調理装置において、ガスボンベから加熱調理器にガスを供給するためのガスホースが邪魔になることが無いとともに、配管工事を不要とし、更に、鍋や鉄板の輻射熱によりガスボンベが加熱されることを無くして安全を確保することを可能とする。【解決手段】裏面任意の箇所に脚部３が連設されたテーブル天板２と、テーブル天板２の複数個所に形成された係止孔５のそれぞれに係止された、ガスを加熱源とするガスコンロ４、鉄板焼装置３１等の加熱調理器と、を具備する加熱調理装置において、テーブル天板２の裏面任意の箇所に、ガスコンロ、鉄板焼装置等の加熱調理器にガスを供給するための小型のガスボンベ２１を配設するとともに、ガスボンベ２１と加熱調理器をガス管で連結し、これにより、テーブル天板２の裏面の小型のガスボンベから加熱調理器にガスを供給可能とした。【選択図】図２
2013050233.tif 000002
【特許請求の範囲】
【請求項１】
裏面任意の箇所に脚部（３）が連設されたテーブル天板（２）と、
該テーブル天板（２）の複数個所に形成された係止孔（５）のそれぞれに係止された、ガスを加熱源とする加熱調理器（４、３１）と、を具備する加熱調理装置において、
前記テーブル天板（２）の裏面任意の箇所に、前記加熱調理器（４、３１）にガスを供給するための小型のガスボンベ（２１）を配設するとともに、該ガスボンベ（２１）と前記加熱調理器（４、３１）をガス管で連結した、ことを特徴とする加熱調理装置。
【請求項２】
前記加熱調理器（４）がガスコンロであることを特徴とする請求項１に記載の加熱調理装置。
【請求項３】
前記ガスコンロ（４）は、
前記テーブル天板（２）の係止孔（５）に係止された、リング状であるとともに内周側に棚部（６０３）が形成された化粧枠（６）と、
該化粧枠（６）の下方部分に係止された有底の本体部（７）と、
該本体部（７）内に配設されたガスバーナー（９）と、
前記化粧枠（６）の棚部（６０３）に係止された、中央部分に開口（１１０４）が形成された汁受け（１１）と、
前記化粧枠（６）の棚部（６０３）に載置された、リング状の五徳本体（１２０１）と該五徳本体（１２０１）に斜め内側に向けて立設された載置爪（１２０２）とを具備した五徳（１２）と、
前記五徳（１２）を載置爪（１２０１）が下面になるようにして前記化粧枠（６）に載置した際に、前記化粧枠（６）の内周に嵌合可能な蓋（１３）と、を具備したガスコンロであることを特徴とする請求項２に記載の加熱調理装置。
【請求項４】
前記加熱調理器（３１）が鉄板焼装置であることを特徴とする請求項１に記載の加熱調理装置。
【請求項５】
前記鉄板焼装置（３１）は、
前記テーブル天板（２）の係止孔（５）に係止された、四角形な枠状であるとともに内周側に棚部（３２０３）が形成された化粧枠（３２）と、
該化粧枠（３２）の下方部分に係止された有底の本体部（３３）と、
該本体部（３３）内に配設されたガスバーナー（３４）と、
前記化粧枠（３２）の棚部（３２０３）に載置された鉄板（３５）と、を具備した鉄板焼装置であることを特徴とする請求項４に記載の加熱調理装置。
【請求項６】
前記加熱調理器は、１又は複数個の、請求項３に記載のガスコンロ（４）と、１又は複数個の、請求項５に記載の鉄板焼装置（３１）との組合せであることを特徴とする請求項１に記載の加熱調理装置。
【発明の詳細な説明】
【技術分野】
【０００１】
本発明は、加熱調理装置に係り、より詳しくは、ガスを加熱源とする複数個のコンロ、鉄板焼装置等の加熱調理器をテーブル天板に配設した加熱調理装置において、これらの加熱調理器にガスを供給するためのガスボンベをテーブル天板の裏面に装着した特徴とする加熱調理装置に関する。
【背景技術】
【０００２】
従来から、ロースター、鉄板焼装置、コンロ等の加熱調理器をテーブル天板に備えた加熱調理装置では、ロースター、鉄板焼装置、コンロ等の加熱調理器をテーブル天板の中央部分に配設して構成されており、従って、複数人で食事をする場合には、複数人がそれぞれ同じ網、鍋、鉄板等を用いて同一種類の加熱調理をしていた。
【０００３】
そのために、このような、ロースター、鉄板焼装置、コンロ等の加熱調理器をテーブル天板の中央部分に一つだけ配設している従来の加熱調理装置で加熱調理をする場合には、複数人のそれぞれが、別個に自分が欲する種類の加熱調理を行うことはできなかった。
【０００４】
また、同一の網、鍋、鉄板を用いて食事をする従来の加熱調理装置では、特に鍋料理の際には、他人の箸等が鍋の中に入ってしまうことも考えられ、衛生上、必ずしも好ましいものではないとの問題点も指摘できる。
【０００５】
更に、同一の網、鍋、鉄板を用いて食事をする従来の加熱調理装置では、最大人数での食事を想定して網、鉄板、鍋等の大きさを決めており、少人数での使用の場合でも同じ網、鉄板、鍋等を用いるために、少人数での食事の際には、ガス等が無駄になってしまうという問題点も指摘できる。
【０００６】
そこで、本出願人は、過去において、テーブル天板に複数個のミニコンロを配設して、これにより、複数人での食事の際に、各人が好みの料理を食することを可能にした加熱調理装置を提案した。
【先行技術文献】
【特許文献】
【０００７】
【特許文献１】特開２００７−２０９６４３号公報
【発明の概要】
【発明が解決しようとする課題】
【０００８】
ところで、ガスを加熱源とした加熱調理装置では、テーブル天板に配設した加熱調理器とガスボンベ等のガス源とをガスホースで連結して、これにより各加熱調理器にガスを供給しているが、このとき、ガスボンベ等は、調理する者の邪魔にならないように、テーブルから離れた場所に置いておくことが一般的である。
【０００９】
そのために、このような従来の加熱調理装置では、ガスホースが歩行等の邪魔になり危険であるという問題点が指摘でき、また、ガスボンベ等のガス源の元栓の開閉のためにテーブルを離れる必要があり面倒である、という問題点も指摘でき、更に、ガスボンベを置いておく場所の確保が必要である、という問題点も指摘できる。
【００１０】
また、例えば都市ガス、プロパンガス等を加熱源として用いた場合に、床下や床上で配管を行う場合には、配管工事が必要となりコストも高くなってしまうという問題点も指摘できる。
【００１１】
この点、例えば卓上型のカセットコンロを使用した場合には、小型のガスボンベを内蔵しているためにガスホースが邪魔になることは防止できるが、カセットコンロの場合には、鍋や鉄板がボンベの上方を閉鎖してしまった場合には、鍋や鉄板の輻射熱によってボンベが加熱されてしまい事故の繋がるおそれが考えられる。
【００１２】
そこで、本発明は、ガスを加熱源とする加熱調理器を複数個備えた加熱調理装置において、ガスボンベから加熱調理器にガスを供給するためのガスホースが邪魔になることが無いとともに、安全を確保することが可能な加熱調理装置を提供することを課題としている。
【課題を解決するための手段】
【００１３】
本発明の加熱調理装置は、
裏面任意の箇所に脚部が連設されたテーブル天板と、
該テーブル天板の複数個所に形成された係止孔のそれぞれに係止された、ガスを加熱源とする加熱調理器と、を具備する加熱調理装置において、
前記テーブル天板の裏面任意の箇所に、前記加熱調理器にガスを供給するための小型のガスボンベを配設するとともに、該ガスボンベと前記加熱調理器をガス管で連結した、ことを特徴としている。
【発明の効果】
【００１４】
本発明の加熱調理装置では、加熱調理器にガスを供給するためのガスボンベをテーブル天板の裏面任意の箇所に配設しているために、ガスホースが歩行の邪魔になることが無く、また、ガスの元栓の開閉操作等を手元で行うことができ、面倒な作業が不要になった。
【００１５】
また、ガスボンベをテーブルの裏面に配設しているために、ガスを供給するための配管工事が不要となり、コストを抑えることができるとともに、安全性を確保することも可能である。
【００１６】
更に、ガスボンベをテーブルの裏面に配設しているために、テーブル上の鍋や鉄板等の輻射熱をテーブルが遮断するために、ガスボンベが加熱されてしまい不測の事態が生じることも防止できる。
【図面の簡単な説明】
【００１７】
【図１】本発明の加熱調理装置の実施例を平面から見た図である。
【図２】本発明の加熱調理装置の実施例を裏面から見た図である。
【図３】本発明の加熱調理装置の実施例におけるコンロの取り付けの構造を説明するための図である。
【図４】本発明の加熱調理装置の実施例におけるコンロの取り付けの構造を説明するための図である。
【図５】本発明の加熱調理装置の実施例に用いる化粧枠を説明するための図である。
【図６】本発明の加熱調理装置の実施例に用いる汁受けを説明するための図である。
【図７】本発明の加熱調理装置の他の実施例を平面から見た図である。
【図８】本発明の加熱調理装置の他の実施例を平面から見た図である。
【図９】本発明の加熱調理装置の他の実施例における鉄板焼装置の取り付け方法を説明するための図である。
【発明を実施するための形態】
【００１８】
本発明の加熱調理装置では、裏面任意の箇所に脚部が連設されたテーブル天板を有しており、このテーブル天板の複数個所には係止孔が形成され、この係止孔のそれぞれに、ガスを加熱源とする加熱調理器が係止されている。
【００１９】
そして、テーブル天板の裏面の任意の箇所には、テーブル天板の係止孔に係止された加熱調理器のそれぞれにガスを供給するための小型のガスボンベが配設されており、このガスボンベと加熱調理器はガス管で連結されている。
【００２０】
ここで、テーブル天板の複数個所に形成した係止孔に係止する加熱調理器としては、ガスコンロや鉄板焼装置を用いるとよく、その組合せとしては、複数個の加熱調理器のすべてをガスコンロあるいは鉄板焼装置で構成する場合や、ガスコンロと鉄板焼装置を組み合わせて、複数の加熱調理器を構成する場合が考えられる。
【００２１】
そして加熱調理器として用いるガスコンロは、テーブル天板の係止孔に係止された化粧枠を有しており、この化粧枠は、リング状であるとともに、内周側には棚部が形成されている。
【００２２】
また、化粧枠の下方部分には、有底の本体部が係止されており、本体部の内部には、ガスバーナーが配設され、このガスバーナーは、ガス管によって、テーブル天板の裏面に配設されたガスボンに連結されており、これにより、ガスバーナーにガスを供給可能としている。
【００２３】
更に、化粧枠の棚部には汁受けが係止されており、この汁受けは、中央部分に開口が形成され、その周縁部分が化粧枠の棚部に係止されることで、化粧枠の内周側に装挿されている。
【００２４】
更にまた、化粧枠の棚部には五徳が載置されており、この五徳は、リング状の五徳本体を有しており、この五徳本体には、斜め内側に向けて載置爪が立設されているとともに、載置爪が下面になるようにして化粧枠に載置することも可能としている。
【００２５】
また、加熱調理器として用いた場合のガスコンロでは蓋を有している。そして、この蓋は、五徳を載置爪が下面になるようにして化粧枠に載置した際に、化粧枠の内周に嵌合可能としている。
【００２６】
一方、加熱調理器として用いる鉄板焼装置は、四角形な枠状であるとともに内周側に棚部が形成された化粧枠を有しており、この化粧枠は、テーブル天板の係止孔に係止され、棚部には、鉄板が載置されている。
【００２７】
そして、この化粧枠の下方部分には有底の本体部が係止され、この本体部の内部に、ガス管によって、テーブル天板の裏面に配設されたガスボンに連結されたガスバーナーが、配設されている。
【実施例１】
【００２８】
本発明の加熱調理装置の実施例について図面を参照して説明すると、図１は、本実施例の加熱調理装置を平面から示した図であり、図において１が本実施例の加熱調理装置である。
【００２９】
そして、本実施例における加熱調理装置１は、平面視野で長方形状としたテーブル天板を有している。即ち、図において２がテーブル天板であり、本実施例において前記テーブル天板２は、裏面の四隅部分にそれぞれ、脚部３が連設されている。
【００３０】
また、前記テーブル天板２には、複数個所に係止孔が形成されており、この係止孔のそれぞれには、加熱調理器としてのガスコンロが係止されている。
【００３１】
即ち、図１において４がガスコンロであり、本実施例においては、前記テーブル天板２における、幅方向（図１における上下方向）に見た中央部分に、テーブル天板２の長手方向に向けて直線状に、間隔を置いて４箇所に係止孔を形成しており、これによって、４個のガスコンロ４をテーブル天板２に係止している。なお、図において２６は前記ガスコンロ４のそれぞれに点火するための点火つまみである。
【００３２】
ここで、前記ガスコンロ４の係止構造について説明すると、図３は本実施例において前記ガスコンロ４をテーブル天板２に形成した係止孔に係止する方法を示した断面図であり、図において２がテーブル天板、５が係止孔、４がガスコンロで、係止孔５は、円形状の孔としている。
【００３３】
そして、本実施例において前記ガスコンロ４は、化粧枠を有している。即ち、図において６が化粧枠であり、本実施例において前記化粧枠６は、係止孔５に係止されている。
【００３４】
ここで、前記化粧枠６について説明すると、図５は前記化粧枠６の断面図であり、本実施例において前記化粧枠６は、前記テーブル天板２における係止孔５の周辺に載置される平板のリング状の載置部６０１を有している。
【００３５】
そして、この載置部６０１の内周側には下方に向けて嵌合部６０２が連設されており、この嵌合部６０２は、筒状としており、その外周が、前記係止孔５の内部に嵌合可能な形状寸法とされている。
【００３６】
また、嵌合部６０２の下端部には、内周側に向けて、水平な棚部６０３が連設されており、この棚部の先端部には、下方に向けて、筒状とした取付部６０４が連設されている。
【００３７】
そして、このように構成される本実施例における化粧枠６は、前記嵌合部６０２が係止孔５内に装挿される配置で、載置部６０１をテーブル天板２における係止孔５の周辺部に載置することで、係止孔５内に係止されている。
【００３８】
次に、図３において７は本体部である。即ち、本実施例における前記ガスコンロ４は本体部７を有しており、この本体部７は、有底の筒状としている。
【００３９】
そして、その内径は、前記取付部６０４が本体部７の内部に嵌合可能な寸法としており、上方部分の内部に前記取付部６０４の下方部分を嵌合しつつ、ビス等の係止部材８によって、化粧枠６の下方部分に係止されている。
【００４０】
また、前記本体部７の内部の中央部分には、上方に向けてガスバーナー９が立設されており、このガスバーナー９には、ガス管１０が連結されており、このガス管１０は、本体部７の側壁に形成した挿入孔７０１を介して本体部７の外部に延出されつつ、その先端部にはガスボンベが連結されている。
【００４１】
次に、図において１１は汁受けである。即ち、本実施例において前記ガスコンロ４は汁受け１１を有しており、この汁受け１１は、前記化粧枠６の内周側に装挿されている。
【００４２】
ここで、前記汁受け１１について説明すると、図６は前記汁受け１１の構造を示す断面図であり、本実施例において前記汁受け１１は、前記化粧枠６の棚部６０３に載置されつつ化粧枠６の嵌合部６０２の内周側に嵌合可能な、平板のリング状の係止部１１０１を有している。
【００４３】
そして、この係止部１１０１の内周側には下方に向けて、化粧枠６の取付部６０４内に嵌合される嵌合部１１０２が連設されており、この嵌合部１１０２は、筒状としており、その外周は、前記取付部６０４の内部に嵌合可能な形状寸法とされている。
【００４４】
次に、前記嵌合部１１０２の下端部は底面部１１０３により閉鎖され、この底面部１１０３の中央部分は、前記ガスバーナー９が貫通する開口１１０４が形成されている。
【００４５】
また、底面部１１０３における前記開口１１０４の周辺部分は、上方に向けて隔壁部１１０５が突設されており、これにより、底面部１１０３における前記開口１１０４の周辺部分には、鍋等からこぼれ出て落下してきた汁を受け入れるための汁受け溝１１０６が形成されている。
【００４６】
次に、前記汁受け１１の上部には五徳が載置されている。即ち、図１において１２が五徳であり、この五徳１２は、平板状かつリング状の五徳本体１２０１を有しており、この五徳本体１２０１は前記汁受け１１の係止部１１０１上に載置されている。
【００４７】
そして、五徳本体１２０１の３〜４箇所には、斜め内周側に向けて載置爪１２０２が立設されており、これにより五徳１２が構成されている。
【００４８】
また、本実施例における前記五徳１２は、載置爪１２０２が下側になるような配置で汁受け１１の上部に載置することを可能としているとともに、載置爪１２０２が下側に向くようにして五徳１２を汁受け１１の上部に載置した際に、この五徳１２の上部に載置されて、化粧枠６の載置部６０１の内周側を閉鎖する蓋を有している。
【００４９】
即ち、図３において１３が蓋であり、本実施例においてこの蓋１３は、化粧枠６における載置部６０１の内径とほぼ同じ外径の円盤状としており、図４に示すように、載置爪１２０２が下側に向くようにして汁受け１１の上部に載置した五徳１２における五徳本体１２０１の裏面上に載置することで、リング状の載置部６０１の内周側を閉鎖可能としている。
【００５０】
次に、このように構成されるガスコンロ４にガスを供給するためのガスボンベについて説明すると、図２は、本実施例の加熱調理装置１を裏面から見た状態を示した図であり、図において２１は、小型のガスボンベである。
【００５１】
即ち、本実施例の加熱調理装置１では、テーブル天板２の裏面に、ガスコンロ４に供給するガスを蓄えた小型のガスボンベ２１を取り付けている。
【００５２】
そして、これにより、加熱調理装置１の外側にガスホースが出てしまうことを防止して、ガスホースが歩行等の邪魔になることを無くしているとともに、ガスを供給するための配管工事を不要とし、更に、テーブルによって、ガスボンベが鍋や鉄板等の輻射熱の影響を受けることを遮断して安全を確保することを可能にしている。
【００５３】
ここで、前記ガスボンベ２１とガスコンロ４との関係を説明すると、本実施例の加熱調理装置１では、それぞれのガスコンロ４に対応したコックボックス２５をテーブル天板２の裏面に取り付けており、それぞれのガスコンロ４のガスバーナーに連結されたガス管１０を、コックボックス２５内の連結管（図示せず）に連結している。
【００５４】
一方、２本の小型のガスボンベ２１をテーブル天板２の裏面に取り付けて、１本のガスボンベ２１によって、２個のガスコンロ４にガスを供給することとしている。
【００５５】
即ち、ガスボンベ２１のそれぞれには、ガス管２３を介して二股のソケット２２を連結しており、この二股のソケット２２を、分岐管２４を介して２個のコックボックス２５内の連結管（図示せず）に連結しており、これにより、コックボックス２５内の連結管（図示せず）を介して、１本のガスボンベ２１と、２個のガスコンロ４内のガスバーナー９とを連結している。
【００５６】
そして、この構成で、コックボックス２５に備えた点火つまみ２６を操作することで、ガスボンベ２１内のガスを、ガス管２３、二股のソケット２２、分岐間２４、連結管、ガス管１０を介してガスコンロ４のガスバーナー９に供給するとともに、このガスバーナー９に供給したガスに点火することを可能にしている。
【００５７】
従って、本実施例の加熱調理装置１では、ガスホースを装置の外に配設することなくガスコンロ４にガスを供給することができ、歩行者等の安全を確保することが可能である。
【００５８】
このように、本実施例の加熱調理装置１では、加熱調理器にガスを供給するためのガスボンベをテーブル天板２の裏面に配設しているために、加熱調理器にガスを供給するためのガスホースを装置の外に配設することを不要にして歩行の安全を確保することが可能であるとともに、ガスボンベを加熱調理装置から離れた場所に置いた場合と異なり、ガスボンベを置くための空間を確保する必要も無くなり、更に、ガスボンベの元栓の開閉作業も楽になった。
【００５９】
また、ガスボンベをテーブルの裏面に配設しているために、ガスを供給するための配管工事が不要となり、コストを抑えることができるとともに、安全性を確保することも可能である。
【００６０】
更に、ガスボンベをテーブルの裏面に配設しているために、テーブル上の鍋や鉄板等の輻射熱をテーブルが遮断するために、ガスボンベが加熱されてしまい不測の事態が生じることも防止できる。
【００６１】
なお、前述の説明では、４個のガスコンロ４に対して２本のガスボンベ２１を対応させて、１本のガスボンベ２１から２個のガスコンロ４へガスを供給する場合を説明したが、必ずしもこのようにする必要は無く、１個のガスコンロに対して１本のガスボンベを用いても良い。
【００６２】
また、複数本のガスボンベ２１を１組にして、この１組にしたガスボンベ２１から１又は複数個のガスコンロ４へガスを供給するようにしても良い。
【００６３】
更に、ガスボンベ２１をテーブル天板２の裏面に取り付ける方法は特に限定されず、金具等を用いてガスボンベ２１をテーブル天板２の裏面に固定する方法、カセット等をテーブル天板２の裏面に取り付けておき、このカセットにガスボンベを着脱自在にする方法等が考えられる。
【００６４】
そして、カセットを用いた場合には、一般的なカセットコンロとう同様に、ガスボンベ２１をカセットに取り付けた際にガスボンベ２１とガス管２３が連通するように構成してもよい。
【００６５】
また、前述の説明では、前記テーブル天板２に直線状に間隔を置いて４箇所に係止孔５を形成し、これにより、４個のガスコンロ４をテーブル天板２に係止した場合を説明したが、必ずしもこのように構成する必要はなく、その他、加熱調理器として鉄板焼装置を用いてもよく、あるいは、ガスコンロと鉄板焼装置の双方を用いても良い。
【００６６】
即ち、図７は、加熱調理器として鉄板焼装置を用いた場合の本発明の加熱調理装置の平面図であり、図７に示す場合には、テーブル天板２に長方形状の係止孔を２個形成して、それぞれの係止孔に鉄板焼装置３１を係止した場合を示している。
【００６７】
また、図８は、加熱調理器として、ガスコンロと鉄板焼装置の双方を用いた場合の本発明の加熱調理装置の平面図であり、図８に示す場合には、平面視野において、テーブル天板２の右半分に長方形状の係止孔を１個形成し、テーブル天板２の左半分には円形の係止孔を２個形成し、長方形状の係止孔には鉄板焼装置を係止し、円形の２個の係止孔にはそれぞれガスコンロを係止した場合を示しており、このように、加熱調理器としてはガスコンロ、鉄板焼装置、あるいは、図示は省略するが、焼肉用のロースター等を用いることが可能である。
【００６８】
なお、図９は、加熱調理器として鉄板焼装置３１を用いた場合の係止方法を説明するための図であり、本発明において加熱調理器として用いる鉄板焼装置３１は、係止孔５に係止される化粧枠３２を有している。
【００６９】
そして、この化粧枠３２は、前記テーブル天板２における係止孔５の周辺に載置される平板の長方形状の載置部３２０１を有しており、この載置部３２０１の内周側には下方に向けて嵌合部３２０２が連設され、この嵌合部３２０２は、角型の筒状としており、その外周が、前記係止孔５の内部に嵌合可能な形状寸法とされている。
【００７０】
また、嵌合部３２０２の下端部には、内周側に向けて、水平な棚部３２０３が連設されており、この棚部の先端部には、下方に向けて、取付部３２０４が連設されている。
【００７１】
そして、このように構成される本実施例における化粧枠３２は、前記嵌合部３２０２が係止孔５内に装挿される配置で、載置部３２０１をテーブル天板２における係止孔５の周辺部に載置することで、係止孔５内に係止されている。
【００７２】
また、化粧枠３２の下方部分には、ビス等の係止部材８によって、有底の箱型の本体部３３が係止されている。
【００７３】
即ち、本体部３３は、その内径が、前記取付部３２０４が内部に嵌合可能な形状寸法としており、上方部分の内部に前記取付部３２０４の下方部分を嵌合しつつ、ビス等の係止部材８によって、化粧枠３２の下方部分に係止されている。
【００７４】
そして、前記本体部３３の内部には、横方向に向けて、長尺のガスバーナー３４が配設されており、このガスバーナー３４には、ガス管１０が連結され、このガス管１０は、本体部３３の側壁に形成した挿入孔３３０１を介して本体部３３の外部に延出されつつ、その先端部は前記ガスコック２５内において、連結管を介して前記分岐管２４と連結されている。
【００７５】
次に、図９において３５は鉄板である。即ち、本発明において加熱調理器として用いる鉄板焼装置３１では、鉄板３５を有しており、この鉄板３５は、前記化粧枠３２における嵌合部３２０２の内周に嵌合可能な形状寸法としており、その周縁部分を前記棚部３２０３上に載置することで、嵌合部３２０２内に嵌合されている。
【００７６】
そして、このような構成において、ガスバーナー３４に点火することで、鉄板３５を加熱して、鉄板３５上で食材の加熱調理を可能としている。
【産業上の利用可能性】
【００７７】
本発明の加熱調理装置では、加熱調理器にガスを供給するためのガスボンベをテーブル天板の裏面任意の箇所に配設することで、ガスホースが歩行の邪魔になることを防止するとともに、ガスの元栓の開閉操作等を手元で行うことを可能にし、更に鍋や鉄板の輻射熱によってガスボンベが加熱されてしまい不測の事態が生じることを防止しているため、ガスを加熱源とする加熱調理器を用いた加熱調理装置の全般に適用可能である。
【符号の説明】
【００７８】
１    加熱調理装置
２    テーブル天板
３    脚部
４    ガスコンロ
５    係止孔
６    化粧枠
６０１    載置部
６０２    嵌合部
６０３    棚部
６０４    取付部
７    本体部
８    ビス
９    ガスバーナー
１０    ガス管
１１    汁受け
１１０１    係止部
１１０２    嵌合部
１１０３    底面部
１１０４    開口
１１０５    隔壁部
１１０６    汁受け溝
１２    五徳
１２０１    五徳本体
１２０２    載置爪
１３    蓋
２１    ガスボンベ
２２    二股のソケット
２３    ガス管
２４    分岐管
２５    コックボックス
２６    点火つまみ
３１    鉄板焼装置
３２    化粧枠
３２０１    載置部
３２０２    嵌合部
３２０３    棚部
３２０４    取付部
３３    本体部
３４    ガスバーナー
３５    鉄板
【図１】
2013050233.tif 000003
【図２】
2013050233.tif 000004
【図３】
2013050233.tif 000005
【図４】
2013050233.tif 000006
【図５】
2013050233.tif 000007
【図６】
2013050233.tif 000008
【図７】
2013050233.tif 000009
【図８】
2013050233.tif 000010
【図９】
2013050233.tif 000011